(57)【特許請求の範囲】
【請求項１】
複数の基地局の何れかと同期が確立されている状態で、その受信品質の劣化を検出して同期確立中の基地局に対しハンドオフ要求を送出する機能を備えた移動通信端末装置において、
前記同期確立中の基地局及びその周辺の基地局から送信される無線信号の受信品質をそれぞれ測定し、その測定結果をもとにハンドオフの要否を判定するハンドオフ判定手段と、
このハンドオフ判定手段によりハンドオフが必要と判定されるごとに、第１の要求メッセージを生成して、この第１の要求メッセージを前記同期確立中の基地局へそれぞれ送信するメッセージ送信手段と、
前記第１の要求メッセージの送信に対する前記同期確立中の基地局からの受信確認の応答を監視し、所定時間内に応答がない場合に、当該第１の要求メッセージを少なくとも１回再送するメッセージ再送手段と、
前記受信確認の応答監視期間中に前記メッセージ送信手段により新たな第２の要求メッセージが生成された場合に、前記受信確認応答監視中の第１の要求メッセージの内容を前記第２の要求メッセージの内容に更新するメッセージ更新手段とを具備したことを特徴とする移動通信端末装置。
【請求項２】
複数の基地局の何れかと同期が確立されている状態で、その受信品質の劣化を検出して同期確立中の基地局に対しハンドオフ要求を送出する機能を備えた移動通信端末装置において、
前記同期確立中の基地局及びその周辺の基地局から送信される無線信号の受信品質をそれぞれ測定し、その測定結果をもとにハンドオフの要否を判定するハンドオフ判定手段と、
このハンドオフ判定手段によりハンドオフが必要と判定されるごとに、第１の要求メッセージを生成して、この第１の要求メッセージを前記同期確立中の基地局へそれぞれ送信するメッセージ送信手段と、
前記第１の要求メッセージの送信に対する前記同期確立中の基地局からの受信確認の応答を監視し、所定時間内に応答がない場合に、当該第１の要求メッセージを少なくとも１回再送するメッセージ再送手段と、
前記受信確認応答監視中の第１の要求メッセージの数が予め設定した上限数に達している状態で、前記メッセージ送信手段により新たな第２の要求メッセージが生成された場合に、この第２の要求メッセージを送信待機状態に設定する送信待機制御手段と、
前記送信待機状態に設定されている第２の要求メッセージが存在する状態で、前記メッセージ送信手段によりさらに新たな第３の要求メッセージが生成された場合に、前記第２の要求メッセージの内容を前記第３の要求メッセージの内容に更新するメッセージ更新手段とを具備したことを特徴とする移動通信端末装置。
【請求項３】
前記メッセージ更新手段は、前記第２のメッセージの内容を前記第３のメッセージの内容に更新した場合に、当該第３のメッセージを送信待機状態に設定せずに破棄する機能をさらに有することを特徴とする請求項２記載の移動通信端末装置。
【請求項４】
複数の基地局の何れかと同期が確立されている状態で、その受信品質の劣化を検出して同期確立中の基地局に対しハンドオフ要求を送出する機能を備えた移動通信端末装置で用いられる制御回路において、
前記同期確立中の基地局及びその周辺の基地局から送信される無線信号の受信品質をそれぞれ測定し、その測定結果をもとにハンドオフの要否を判定するハンドオフ判定手段と、
このハンドオフ判定手段によりハンドオフが必要と判定されるごとに、第１の要求メッセージを生成して、この第１の要求メッセージを前記同期確立中の基地局へそれぞれ送信するように指示するメッセージ送信指示手段と、
前記第１の要求メッセージの送信に対する前記同期確立中の基地局からの受信確認の応答を監視し、所定時間内に応答がない場合に、当該第１の要求メッセージを少なくとも１回再送するよう指示するメッセージ再送指示手段と、
前記受信確認の応答監視期間中に前記メッセージ送信指示手段により新たな第２の要求メッセージが生成された場合に、前記受信確認応答監視中の第１の要求メッセージの内容を前記第２の要求メッセージの内容に更新するメッセージ更新手段とを具備したことを特徴とする制御回路。
【請求項５】
複数の基地局の何れかと同期が確立されている状態で、その受信品質の劣化を検出して同期確立中の基地局に対しハンドオフ要求を送出する機能を備えた移動通信端末装置で用いられる制御回路において、
前記同期確立中の基地局及びその周辺の基地局から送信される無線信号の受信品質をそれぞれ測定し、その測定結果をもとにハンドオフの要否を判定するハンドオフ判定手段と、
このハンドオフ判定手段によりハンドオフが必要と判定されるごとに、第１の要求メッセージを生成して、この第１の要求メッセージを前記同期確立中の基地局へそれぞれ送信するように指示するメッセージ送信指示手段と、
前記第１の要求メッセージの送信に対する前記同期確立中の基地局からの受信確認の応答を監視し、所定時間内に応答がない場合に、当該第１の要求メッセージを少なくとも１回再送するように指示するメッセージ再送指示手段と、
前記受信確認応答監視中の第１の要求メッセージの数が予め設定した上限数に達している状態で、前記メッセージ送信指示手段において新たな第２の要求メッセージが生成された場合に、この第２の要求メッセージを送信待機状態に設定するように指示する送信待機指示手段と、
前記送信待機状態に設定されている第２の要求メッセージが存在する状態で、前記メッセージ送信指示手段によりさらに新たな第３の要求メッセージが生成された場合に、前記送信待機状態に設定されている第２の要求メッセージの内容を前記第３の要求メッセージの内容に更新するメッセージ更新手段とを具備したことを特徴とする制御回路。
【請求項６】
前記メッセージ更新手段は、前記第２のメッセージの内容を前記第３のメッセージの内容に更新した場合に、当該第３のメッセージを送信待機状態に設定せずに破棄する機能をさらに有することを特徴とする請求項５記載の移動通信端末装置。
【請求項７】
複数の基地局の何れかと同期が確立されている状態で、その受信品質の劣化を検出して同期確立中の基地局に対しハンドオフ要求を送出する機能を備えた移動通信端末装置で使用されるハンドオフ制御方法において、
前記同期確立中の基地局及びその周辺の基地局から送信される無線信号の受信品質をそれぞれ測定し、その測定結果をもとにハンドオフの要否を判定する判定過程と、
この判定過程によりハンドオフが必要と判定されるごとに、第１の要求メッセージを生成して、この第１の要求メッセージを前記同期確立中の基地局へそれぞれ送信する送信過程と、
前記要求メッセージの送信に対する前記同期確立中の基地局からの受信確認の応答を監視し、所定時間内に応答がない場合に、当該第１の要求メッセージを少なくとも１回再送する再送過程と、
前記受信確認の応答監視期間中に前記送信過程により新たな第２の要求メッセージが生成された場合に、前記受信確認応答監視中の第１の要求メッセージの内容を前記第２の要求メッセージの内容に更新する更新過程とを具備したことを特徴とするハンドオフ制御方法。
【請求項８】
複数の基地局の何れかと同期が確立されている状態で、その受信品質の劣化を検出して同期確立中の基地局に対しハンドオフ要求を送出する機能を備えた移動通信端末装置で使用されるハンドオフ制御方法において、
前記同期確立中の基地局及びその周辺の基地局から送信される無線信号の受信品質をそれぞれ測定し、その測定結果をもとにハンドオフの要否を判定する判定過程と、
この判定過程によりハンドオフが必要と判定されるごとに、第１の要求メッセージを生成して、この第１の要求メッセージを前記同期確立中の基地局へそれぞれ送信する送信過程と、
前記第１の要求メッセージの送信に対する前記同期確立中の基地局からの受信確認の応答を監視し、所定時間内に応答がない場合に、当該第１の要求メッセージを少なくとも１回再送する再送過程と、
前記受信確認応答監視中の第１の要求メッセージの数が予め設定した上限数に達している状態で、前記送信過程により新たな第２の要求メッセージが生成された場合に、この第２の要求メッセージを送信待機状態に設定する待機過程と、
前記送信待機状態に設定されている第２の要求メッセージが存在する状態で、前記送信過程によりさらに新たな第３の要求メッセージが生成された場合に、前記第２の要求メッセージの内容を前記第３の要求メッセージの内容に更新する更新過程とを具備したことを特徴とするハンドオフ制御プログラム。
【請求項９】
複数の基地局の何れかと同期が確立されている状態で、その受信品質の劣化を検出して同期確立中の基地局に対しハンドオフ要求を送出する機能を備えた移動通信端末装置で使用されるハンドオフ制御プログラムにおいて、
前記同期確立中の基地局及びその周辺の基地局から送信される無線信号の受信品質をそれぞれ測定し、その測定結果をもとにハンドオフの要否を判定する判定ステップと、
この判定ステップによりハンドオフが必要と判定されるごとに、第１の要求メッセージを生成して、この第１の要求メッセージを前記同期確立中の基地局へそれぞれ送信するように指示する送信指示ステップと、
前記第１の要求メッセージの送信に対する前記同期確立中の基地局からの受信確認の応答を監視し、所定時間内に応答がない場合に、当該第１の要求メッセージを少なくとも１回再送するように指示する再送指示ステップと、
前記受信確認の応答監視期間中に前記送信ステップにより新たな第２の要求メッセージが生成された場合に、前記受信確認応答監視中の第１の要求メッセージの内容を前記第２の要求メッセージの内容に更新する更新ステップとを具備したことを特徴とするハンドオフ制御プログラム。
【請求項１０】
複数の基地局の何れかと同期が確立されている状態で、その受信品質の劣化を検出して同期確立中の基地局に対しハンドオフ要求を送出する機能を備えた移動通信端末装置で使用されるハンドオフ制御プログラムにおいて、
前記同期確立中の基地局及びその周辺の基地局から送信される無線信号の受信品質をそれぞれ測定し、その測定結果をもとにハンドオフの要否を判定する判定ステップと、
この判定ステップによりハンドオフが必要と判定されるごとに、第１の要求メッセージを生成して、この第１の要求メッセージを前記同期確立中の基地局へそれぞれ送信するように指示する送信指示ステップと、
前記第１の要求メッセージの送信に対する前記同期確立中の基地局からの受信確認の応答を監視し、所定時間内に応答がない場合に、当該第１の要求メッセージを少なくとも１回再送するように指示する再送指示ステップと、
前記受信確認応答監視中の第１の要求メッセージの数が予め設定した上限数に達している状態で、前記送信指示ステップにより新たな第２の要求メッセージが生成された場合に、この第２の要求メッセージを送信待機状態に設定するように指示するステップと、
前記送信待機状態に設定されている第２の要求メッセージが存在する状態で、前記送信指示ステップによりさらに新たな第３の要求メッセージが生成された場合に、前記第２の要求メッセージの内容を前記第３の要求メッセージの内容に更新する更新ステップとを具備したことを特徴とするハンドオフ制御プログラム。
【請求項１１】
複数の基地局の何れかと同期が確立されている状態で、この同期確立中の基地局に対しメッセージを送出する機能を備えた移動通信端末装置において、
前記メッセージが発生するごとに、このメッセージを前記同期確立中の基地局へそれぞれ送信するメッセージ送信手段と、
このメッセージ送信手段により送信したメッセージが受信確認を必要とする第１のメッセージである場合に、当該第１のメッセージの送信に対する前記同期確立中の基地局からの受信確認の応答を監視し、所定時間内に応答がない場合に、当該第１のメッセージを少なくとも１回再送するメッセージ再送手段と、
前記受信確認の応答監視期間中に受信確認を必要とする新たな第２のメッセージが発生した場合に、この第２のメッセージが前記受信確認の応答監視中の第１のメッセージと同種類のものであるか否かを判定し、同種類のものだった場合に前記第１のメッセージの内容を前記第２のメッセージの内容に更新するメッセージ更新手段とを具備したことを特徴とする移動通信端末装置。
【請求項１２】
複数の基地局の何れかと同期が確立されている状態で、この同期確立中の基地局に対しメッセージを送出する機能を備えた移動通信端末装置において、
前記メッセージが発生するごとに、このメッセージを前記同期確立中の基地局へそれぞれ送信するメッセージ送信手段と、
このメッセージ送信手段により送信したメッセージが受信確認を必要とする第１のメッセージである場合に、当該第１のメッセージの送信に対する前記同期確立中の基地局からの受信確認の応答を監視し、所定時間内に応答がない場合に、当該第１のメッセージを少なくとも１回再送するメッセージ再送手段と、
前記受信確認応答監視中の第１のメッセージの数が予め設定した上限数に達している状態で受信確認を必要とする新たな第２のメッセージが発生した場合に、この第２のメッセージを送信待機状態に設定する送信待機手段と、
前記送信待機状態に設定されている第２のメッセージが存在する状態で受信確認を必要とする新たな第３のメッセージが発生した場合に、当該第３のメッセージが前記第２のメッセージと同種類のものであるか否かを判定し、同種類のものだった場合に前記第２のメッセージの内容を前記第３のメッセージの内容に更新するメッセージ更新手段とを具備したことを特徴とする移動通信端末装置。
【請求項１３】
前記メッセージ更新手段は、前記第２のメッセージの内容を前記第３のメッセージの内容に更新した場合に、当該第３のメッセージを送信待機状態に設定せずに破棄する機能をさらに有することを特徴とする請求項１２記載の移動通信端末装置。
【請求項１４】
複数の基地局の何れかと同期が確立されている状態で、この同期確立中の基地局に対しメッセージを送出する機能を備えた移動通信端末装置で用いられる制御回路において、
前記メッセージが発生するごとに、このメッセージを前記同期確立中の基地局へそれぞれ送信するように指示するメッセージ送信指示手段と、
このメッセージ送信指示手段の指示により送信されたメッセージが受信確認を必要とする第１のメッセージである場合に、当該第１のメッセージの送信に対する前記同期確立中の基地局からの受信確認の応答を監視し、所定時間内に応答がない場合に、当該第１のメッセージを少なくとも１回再送するように指示するメッセージ再送指示手段と、
前記受信確認の応答監視期間中に受信確認を必要とする受信確認を必要とする新たな第２のメッセージが発生した場合に、この第２のメッセージが前記受信確認の応答監視中の第１のメッセージと同種類のものであるか否かを判定し、同種類のものだった場合に前記第１のメッセージの内容を前記第２のメッセージの内容に更新するメッセージ更新手段とを具備したことを特徴とする制御回路。
【請求項１５】
複数の基地局の何れかと同期が確立されている状態で、この同期確立中の基地局に対しメッセージを送出する機能を備えた移動通信端末装置で用いられる制御回路において、
前記メッセージが発生するごとに、このメッセージを前記同期確立中の基地局へそれぞれ送信するように指示するメッセージ送信指示手段と、
このメッセージ送信指示手段の指示により送信されたメッセージが受信確認を必要とする第１のメッセージである場合に、当該第１のメッセージの送信に対する前記同期確立中の基地局からの受信確認の応答を監視し、所定時間内に応答がない場合に、当該第１のメッセージを少なくとも１回再送するように指示するメッセージ再送指示手段と、
前記受信確認の応答監視中の第１のメッセージの数が予め設定した上限数に達している状態で受信確認を必要とする新たな第２のメッセージが発生した場合に、この第２のメッセージを送信待機状態に設定するように指示する送信待機指示手段と、
前記送信待機状態に設定されている第２のメッセージが存在する状態で受信確認を必要とする新たな第３のメッセージが発生した場合に、当該第３のメッセージが前記前記第２のメッセージと同種類のものであるか否かを判定し、同種類のものだった場合に前記第２のメッセージの内容を前記第３のメッセージの内容に更新するメッセージ更新手段とを具備したことを特徴とする制御回路。
【請求項１６】
前記メッセージ更新手段は、前記第２のメッセージの内容を前記第３のメッセージの内容に更新した場合に、当該第３のメッセージを破棄する機能をさらに有することを特徴とする請求項１５記載の制御回路。
【発明の詳細な説明】
【０００１】
【発明の属する技術分野】
この発明は、例えばセルラ移動通信システムにおいて、無線チャネルの品質劣化を検出して同期確立中の基地局に対しハンドオフを要求する機能を備えた移動通信端末装置とその制御回路、ハンドオフ制御方法及びハンドオフ制御プログラムに関する。
【０００２】
【従来の技術】
近年、携帯電話システムに代表されるセルラ移動通信システムが急速に普及している。セルラ移動通信システムは、サービスエリアに複数の基地局を分散配置してこれらの基地局により各々セルと呼ばれる無線ゾーンを形成する。そして、移動局としての移動通信端末装置を当該端末装置が存在する無線ゾーンの基地局に無線チャネルを介して接続し、この基地局からさらに公衆網等を介して通信相手の端末装置に接続することで、端末間の通信を可能にしている。
【０００３】
ところでこの種のシステムでは、待受中或いは通信中に移動通信端末装置と基地局との間で無線回線を介してメッセージの授受を行うことで所望の制御を実行するようにしている。その際、確実に相手側に通知する必要のあるメッセージには受信確認を要求する。これは、メッセージを受信した局が、受信したメッセージに含まれる特定の番号を受信確認の応答メッセージに付加して送信元の局へ返送することにより実現される。メッセージを送信した局は、受信確認の応答メッセージを受信するまで一定の時間間隔でメッセージの再送を行い、受信確認の応答メッセージを受信した時点でメッセージ再送手順を終了する。
【０００４】
また、移動通信端末装置において同時に受信確認応答待ち状態にできるメッセージ数の上限値は決められている。このため、受信確認応答待ちのメッセージの数が上記上限値に達している状態で、さらに受信確認の応答を必要とする新たなメッセージが発生すると、上記受信確認応答待ちのメッセージのいずれかの受信確認がなされるまで、上記新たなメッセージは送信待ち状態にされる。
【０００５】
以上のメッセージ伝送制御手順を、符号分割多元接続（ＣＤＭＡ：Code Division Multiple Access）方式を採用したシステムにおいて、ハンドオフを実行する場合を例にとって説明する。ハンドオフとは、移動通信端末装置が待受中或いは通信中に現在存在する無線ゾーンから他の無線ゾーンへ移動した場合に、同期確立中の基地局を移動先の基地局に切り替える制御処理のことである。
【０００６】
すなわち、ＣＤＭＡ移動通信端末装置は、待受中又は通信中において、同期確立中の基地局から送信されているパイロット信号の受信レベルを測定すると共に、近接する各基地局から送信されているパイロット信号の受信レベルをそれぞれ測定する。受信レベルの強度は、逆拡散後における、パイロット信号の全受信エネルギ（Ｉｏ）に対する測定しようとする基地局からのパイロット信号のエネルギ（Ｅｃ）の比（Ｅｃ／Ｉｏ）が用いられる。そして、近接基地局からの受信レベルが所定レベル以上の強度になったとき、同期確立中のパイロットチャネルＰＮａ２の受信強度（Ｅｃ／Ｉｏ）PNa2が基地局から指定された値を下回るとき、及びその他の基地局からの各パイロットチャネルの受信強度（Ｅｃ／Ｉｏ）otherが基地局から指定された別の値より上回るときに、ＰＳＭＭ（Pilot Strength Measurement Message）と呼ばれるハンドオフ要求メッセージを生成して上記同期確立中の基地局へ送信する。このときハンドオフ要求メッセージには、上記同期確立中の基地局からの受信レベルの測定値、及び各近接基地局からの受信レベルの測定値が挿入される。
【０００７】
これに対し基地局は、移動通信端末装置から上記ハンドオフ要求メッセージを受信すると、このメッセージに挿入されている各基地局からの受信レベルの測定値をもとにハンドオフ先の基地局を決定し、この決定したハンドオフ先を要求元の移動通信端末装置に通知する。移動通信端末装置はこの通知を受けると基地局に受信確認を表す応答メッセージを返送し、しかるのち上記通知に従い同期確立先の基地局を切り替える。かくして、移動通信端末装置についてのハンドオフ処理がなされる。
【０００８】
複数のハンドオフ要求が発生すると移動通信端末装置は、これらの要求の各々についてそれぞれハンドオフ要求メッセージを生成し、これらのメッセージを別々のシーケンス番号（SEQNo）を用いて基地局へ送信する。そして、各ハンドオフ要求メッセージについて基地局からの受信確認の応答を待ち、一定時間内に上記受信確認の応答が返送されないメッセージについては、予め指定された回数（例えば最大９回）だけ所定のアクセスシーケンスに従って上記ハンドオフ要求メッセージの送信を繰り返す。図１２はそのシーケンスの一例を示すものである。同図において（SEQ1(1)）はシーケンス番号１の１回目の送信であることを、また（SEQ1(2)）はシーケンス番号１の２回目の送信であることをそれぞれ示している。その他のシーケンス番号の表示も同様である。
【０００９】
また、受信確認応答待ちのハンドオフ要求メッセージの数が上限値に達している状態で、さらに新たなハンドオフ要求メッセージが発生すると、上記受信確認応答待ちの要求メッセージのいずれかの受信確認がなされるまで、上記新たなハンドオフ要求メッセージは送信待ち状態に設定される。
【００１０】
【発明が解決しようとする課題】
ところが、このような従来のメッセージ再送手順では、各メッセージとも送信開始当初の内容を保持したまま再送が繰り返される。このため、再送回数が多くなると、基地局に届いたメッセージの内容はその時点では既に古いものとなっている場合がある。特に、移動通信端末装置が高速移動している場合には、各基地局からの受信レベルを測定した地点と、ハンドオフ要求メッセージが実際に基地局に届いた時点での移動通信端末装置の位置とが大きく変化しているため、上記通知した測定値と実際の値との差は大きくなる。このような場合、基地局は実際とは異なる古い測定値に従ってハンドオフ先を決定することになるため、適切なハンドオフが行われなくなる。
【００１１】
さらに、受信確認応答待ちのメッセージ数が上限値に達すると、それ以後に生成されたメッセージは送信待機状態に設定される。このため、当該メッセージが送信待機状態から脱して送信に供されるまでに多くの時間がかかる。したがって、この場合にも基地局に届いたメッセージの内容がその時点では既に古いものとなっていることが多く、この結果ハンドオフの失敗を起こしやすかった。
【００１２】
この発明は上記事情に着目してなされたもので、その目的とするところは、メッセージ再送手順が行われても、常に最新のメッセージ内容を通信相手に通知することができ、これにより制御の信頼性の向上を図った移動通信端末装置とその制御回路、ハンドオフ制御方法及びハンドオフ制御プログラムを提供することにある。
【００１３】
【課題を解決するための手段】
上記目的を達成するために第１の発明は、複数の基地局の何れかと同期が確立されている状態で、その受信品質の劣化を検出して同期確立中の基地局に対しハンドオフ要求を送出する機能を備えた移動通信端末装置において、
前記同期確立中の基地局及びその周辺の基地局から送信される無線信号の受信品質をそれぞれ測定し、その測定結果をもとにハンドオフの要否を判定するハンドオフ判定手段と、このハンドオフ判定手段によりハンドオフが必要と判定されるごとに、第１の要求メッセージを生成して、この第１の要求メッセージを前記同期確立中の基地局へそれぞれ送信するメッセージ送信手段と、前記第１の要求メッセージの送信に対する上記同期確立中の基地局からの受信確認の応答を監視し、所定時間内に応答がない場合に、当該第１の要求メッセージを少なくとも１回再送するメッセージ再送手段とに加えて、メッセージ更新手段を新たに備えている。そして、このメッセージ更新手段において、上記受信確認の応答監視期間中に上記メッセージ送信手段により新たな第２の要求メッセージが生成された場合に、上記受信確認応答監視中の第１の要求メッセージの内容を上記新たな第２の要求メッセージの内容に更新するようにしたものである。
【００１４】
したがってこの発明によれば、受信確認応答待ちのハンドオフ要求メッセージがある場合に、新たなハンドオフ要求メッセージが発生すると、上記受信確認応答待ちのハンドオフ要求メッセージの内容が新たなハンドオフ要求メッセージの内容に更新される。このため、上記受信確認応答待ちのハンドオフ要求メッセージが次に再送されるときには内容が更新されたメッセージが送信されることになり、基地局には最新の受信電界強度測定値を通知することができる。したがって、高速移動中でも適切なハンドオフを行うことができる。
【００１５】
一方、第２の発明は、上記ハンドオフ判定手段、メッセージ送信手段及びメッセージ再送手段に加えて、上記受信確認応答監視中の第１の要求メッセージの数が予め設定した上限数に達している状態で、上記メッセージ送信手段により新たな第２の要求メッセージが生成された場合に、この第２の要求メッセージを送信待機状態に設定する送信待機手段を備えている移動通信端末装置にあって、メッセージ更新手段を備えている。そしてこのメッセージ更新手段により、上記送信待機状態に設定されている第２の要求メッセージが存在する状態で、上記メッセージ送信手段によりさらに新たな第３の要求メッセージが生成された場合に、上記第２の要求メッセージの内容を上記第３の要求メッセージの内容に更新するようにしたものである。
【００１６】
したがってこの発明によれば、送信待機状態に設定されているハンドオフ要求メッセージがある場合に、新たなハンドオフ要求メッセージが発生すると、上記送信待機状態のハンドオフ要求メッセージの内容が新たなハンドオフ要求メッセージの内容に更新される。このため、上記送信待機状態に設定されているハンドオフ要求メッセージが送信待機を解除されて送信されるときには、内容が更新されたメッセージが送信されることになり、基地局にはより新しい受信電界強度測定値を通知することができる。したがって、高速移動中でも適切なハンドオフを行うことが可能となる。
【００１７】
また第２の発明は、上記メッセージ更新手段において、上記第２のメッセージの内容を上記第３のメッセージの内容に更新した場合に、当該第３のメッセージを送信待機状態に設定せずに破棄することも特徴とする。
【００１８】
このようにすることで、送信順番待ちのメッセージの数を減らすことができ、これにより基地局に対する送信順番待ちのメッセージの送信タイミングを早期化することが可能となる。
【００１９】
【発明の実施の形態】
（第１の実施形態）
図１は、この発明に係わるセルラ移動通信システムの第１の実施形態であるＣＤＭＡ移動通信システムの概略構成図である。
システムのサービスエリアには、複数の基地局ＢＳａ，ＢＳｂ，ＢＳｃ，…（図では３局のみを図示）が分散配置されている。これらの基地局ＢＳａ，ＢＳｂ，ＢＳｃ，…はそれぞれ、各セクタＳａ１〜Ｓａ３、Ｓｂ１〜Ｓｂ３、Ｓｃ１〜Ｓｃ３ごとにオフセット値の異なる拡散符号を使用したパイロットチャネルＰＮａ１〜ＰＮａ３、ＰＮｂ１〜ＰＮｂ３、ＰＮｃ１〜ＰＮｃ３を放送している。なお、拡散符号としては例えばＰＮ符号（Pseudo noise code ）と、Walsh sequenceやOrthogonal Gold sequence等を採用した直交符号とが併用される。直交符号を使用する理由は、チャネル相互間の直交性を高めて干渉をさらに抑えるためである。
【００２０】
移動局としての移動通信端末装置ＭＳは、上記基地局ＢＳａ，ＢＳｂ，ＢＳｃ，…が放送しているパイロットチャネルＰＮａ１〜ＰＮａ３、ＰＮｂ１〜ＰＮｂ３、ＰＮｃ１〜ＰＮｃ３のいずれかと同期を確立して通信を行う。このとき、品質の良好な通信を行うには常に受信品質の良好なパイロットチャネルに対し同期を確立しておくことが必要であり、そのために移動通信端末装置ＭＳでは待ち受け中にハンドオフ処理が行われている。
【００２１】
ハンドオフは、移動通信端末装置ＭＳが、定期的に同期確立中のパイロットチャネルと同期確立候補である他の複数のパイロットチャネルとの受信品質を比較し、同期確立候補となる他の複数のパイロットチャネルの中に、同期確立中のパイロットチャネルよりも受信品質が所定レベル以上良好なパイロットチャネルが見つかった場合に、この同期確立対象をこのパイロットチャネルに切り替えるものである。
【００２２】
図２は、この実施形態に係わる移動通信端末装置ＭＳの構成を示す回路ブロック図である。
同図において、マイクロホン１０ａから出力された話者の送話音声信号は、アナログ−ディジタル変換器（Ａ−Ｄ）１１ａでディジタル信号に変換されたのち、音声符号化−復号化器（Voice coder−decoder 、以後ボコーダ：Vocoder と称する）１２に入力される。ボコーダ１２は、可変レート音声符号化方式を採用したもので、例えば9600bps ，4800bps ，2400bps ，1200bps の４種類の符号化レートの中から一つを選択し、この選択した符号化レートにより上記入力ディジタル音声信号を符号化する。符号化レートはマイクロ・プロセッサ（ＭＰＵ）１３からレート制御信号により指示される。
【００２３】
マイクロ・プロセッサ（ＭＰＵ）１３では、上記ボコーダ１２から出力された符号化ディジタル音声信号に制御信号等が付加され、これにより伝送データが生成される。この伝送データは、データ生成回路１４で誤り検出符号及び誤り訂正符号が付加されたのち畳み込み符号化器１５にて符号化され、さらにインタリーブ回路１６によりインタリーブのための処理が施される。そして、このインタリーブ回路１６から出力された伝送データは、スペクトラム拡散器１７で拡散符号により広帯域の信号にスペクトラム拡散される。
【００２４】
このスペクトラム拡散された送信信号は、ディジタル・フィルタ１８で不要な周波数成分が除去されたのちディジタル−アナログ変換器（Ｄ−Ａ）１９によりアナログ信号に変換される。そして、このアナログ送信信号は、アナログ・フロントエンド２０で所定の無線周波数にアップコンバートされるとともに所定の送信電力レベルに電力増幅されたのち、アンテナ２１から例えば基地局に向け送信される。
【００２５】
一方、アンテナ２１で受信されたスペクトラム拡散無線信号は、アナログ・フロントエンド２０において低雑音増幅器により増幅されるとともに、中間周波数又はベースバンド周波数にダウンコンバートされる。そして、このアナログ・フロントエンド２０から出力された受信信号は、アナログ−ディジタル変換器（Ａ−Ｄ）２２で所定のサンプリング周期でディジタル信号に変換されたのち、サーチ受信機２３、自動利得制御（ＡＧＣ）回路２４及びＲＡＫＥ受信機２５に入力される。
【００２６】
ＲＡＫＥ受信機２５は、例えば４個のフィンガ回路と、これらのフィンガ回路の出力信号をシンボル合成するシンボル合成器とを有する。各フィンガ回路は、それぞれ受信レベルの大きい所望のパスの受信信号に対し独立してスペクトラム逆拡散を行うことにより、異なる４つのパスの受信信号をマルチパス無線信号から分離して各々再生する。
【００２７】
サーチ受信機２３は、基地局から放送されているパイロットチャネルのＰＮ符号をサーチしてそのオフセットを捕捉するためのもので、基本的にはフィンガ回路と同じ構成である。このＰＮ符号のサーチ動作により得られる電力制御データはマイクロ・プロセッサ１３に取り込まれる。
【００２８】
上記ＲＡＫＥ受信機２５から出力された復調シンボルは、タイミング情報と共にデインタリーブ回路２６に入力され、このデインタリーブ回路２６においてデインタリーブ処理が施される。続いて、このデインタリーブ後の復調シンボルは、ビタビ復号化器２７においてビタビ復号され、さらにこのビタビ復号後の復調シンボルは誤り訂正回路２８で誤り訂正復号処理されて受信データとなり、マイクロ・プロセッサ１３に入力される。マイクロ・プロセッサ１３では、上記入力された受信データが音声データと制御データとに分離される。このうち音声データは、ボコーダ１２で音声復号されたのちディジタル−アナログ変換器（Ｄ−Ａ）１１ｂでアナログ信号に変換され、しかるのちスピーカ１０ｂから拡声出力される。
【００２９】
なお、キーパッド／ディスプレイ２９は、ユーザがダイヤルデータや制御データ等の入力及び設定を行ったり、また移動通信端末装置ＭＳの動作状態に係わる種々情報を表示するために設けられている。このキーパッド／ディスプレイ２９の動作はマイクロ・プロセッサ１３により制御される。
【００３０】
ところで、マイクロ・プロセッサ１３は、発信及び着信に伴う通信リンク接続制御や通信制御等の通常の制御機能に加えて、この発明に係わる制御機能としてハンドオフ要求送信制御機能１３１と、ハンドオフ要求追加送信制御機能１３２とを備えている。
【００３１】
マイクロ・プロセッサ１３には図示しないメモリが設けられており、このメモリに記憶させたプログラムをマイクロ・プロセッサ１３が実行することにより上記制御機能が実現される。上記ハンドオフ制御プログラムは予めＲＯＭ等のメモリに記憶させておいてもよいが、製品の組み立て時や使用開始後に記憶媒体からコピーすることで記憶させるようにしてもよい。
【００３２】
記憶媒体としては、ＥＥＰＲＯＭを含むＲＯＭやＲＡＭなどのメモリ、フロッピーディスク、ハードディスク、ＣＤ−ＲＯＭディスクやＤＶＤディスクなどの光ディスク、メモリカード、その他プログラムを記憶することができる記憶媒体を用いることができる。また上記ハンドオフ制御プログラムは、インターネット等のコンピュータ・ネットワーク上に設けられたサイトから移動通信端末装置ＭＳにダウンロードしてメモリに記憶させるようにしてもよい。
【００３３】
ハンドオフ要求制御機能１３１は、同期確立中の基地局及び同期確立候補となるその周辺の基地局が放送している各パイロットチャネルの受信強度をそれぞれ測定し、その測定値をもとにハンドオフの必要性の有無を判定する。そして、ハンドオフの必要有りと判定した場合に、上記各パイロットチャネルの受信強度測定値を含めたハンドオフ要求メッセージ（ＰＳＭＭ）を生成し、このハンドオフ要求メッセージをシーケンス番号を用いて同期確立中の基地局に向け送信する。シーケンス番号は、予め用意されている複数のシーケンス番号の中から選択される。
【００３４】
また、上記要求メッセージの送信後、一定時間内に基地局から受信確認の応答メッセージが返送されるか否かを監視する。そして、返送されない場合には、上記要求メッセージを、当該メッセージを送信するために使用した前記シーケンス番号を使用して再送する。以後、基地局から受信確認の応答メッセージが返送されるまで、上記要求メッセージの再送を同一のシーケンス番号を用いて繰り返す。なお、この繰り返し回数は、ＩＳ−９５規格では９回に設定される。
【００３５】
さらに、上記受信確認の応答監視中のハンドオフ要求メッセージの数が予め設定した上限数に達している状態で、新たなハンドオフ要求メッセージが生成された場合に、この新たなハンドオフ要求メッセージを上記受信確認応答待ちのハンドオフ要求メッセージのいずれかの受信確認がなされるまで、送信待機状態に設定する。
【００３６】
メッセージ内容更新制御手段１３２は、上記送信待機状態に設定されているハンドオフ要求メッセージが存在する状態で、さらに新たなハンドオフ要求メッセージが生成された場合に、当該ハンドオフ要求メッセージが上記送信待機状態に設定されているハンドオフ要求メッセージと同種類のものであるか否かを判定する。そして、この判定の結果同種類のものだった場合に、上記送信待機状態に設定されているハンドオフ要求メッセージの内容を上記新たなハンドオフ要求メッセージの内容に更新する。
【００３７】
次に、以上のように構成された移動通信端末装置ＭＳの動作を説明する。
いま例えば、基地局ＢＳａが送信しているパイロットチャネルＰＮａ２に対し同期が確立されている移動通信端末装置ＭＳが、基地局ＢＳｂの方向へ移動したとする。
【００３８】
このとき移動通信端末装置ＭＳでは、次のようにハンドオフの要否判定が行われる。図３は、その制御手順及び制御内容を示すフローチャートである。
すなわち、移動通信端末装置ＭＳは、先ずステップ３ａで同期確立中のパイロットチャネルＰＮａ２の受信強度（Ｅｃ／Ｉｏ）PNa2を測定する。また、近接基地局ＢＳｂ，ＢＳｃの各パイロットチャネルについて、その受信強度の測定が終了したか否かをステップ３ｂで判定する。そして、終了していなければステップ３ｃに移行して、ここで上記同期確立中のパイロットチャネルＰＮａ２により基地局ＢＳａから報知されるネイバリストメッセージに従い、近接基地局ＢＳｂ，ＢＳｃの各パイロットチャネルを順次受信してその受信強度を測定する。ネイバリストメッセージには、同期確立中の基地局に近接する基地局のＰＮ符号が含まれており、移動通信端末装置ＭＳは、少なくともこれらのＰＮ符号で識別される近接基地局（ネイバリング基地局）からのパイロット信号の受信強度を測定する。
【００３９】
一方、近接基地局ＢＳｂ，ＢＳｃの各パイロットチャネルについて受信電界強度の測定を終了していれば、ステップ３ｄでその他の基地局（リメイニング基地局）からのパイロットチャネルの受信強度を測定する。その他の基地局（リメイニング基地局）は、ＰＮ符号で識別可能なすべての基地局のうち、同期確立中の基地局と近接基地局を除いたものである。移動通信端末装置ＭＳは必ずしもその他の基地局からのパイロット信号をすべて測定する必要はなく、適応に応じてその一部のみを測定してもよい。
【００４０】
以上の測定を終了すると移動通信端末装置ＭＳは、次にステップ３ｅで上記受信強度を測定したネイバリング基地局及びリメイニング基地局からのパイロットチャネルのうち、受信強度の測定値（Ｅｃ／Ｉｏ）が基準値以上のパイロットチャネルがあるか否かを判定する。そして、基準値以上のパイロットチャネルが見つかった場合にはハンドオフ要求制御へ移行する。
【００４１】
また、上記ステップ３ｅにおいて受信強度の測定値が基準値以上のパイロットチャネルが見つからなかった場合にはステップ３ｆに移行する。そして、同期確立中のパイロットチャネルＰＮａ２の受信強度（Ｅｃ／Ｉｏ）PNa2が基地局から指定された値th1を下回る場合にもハンドオフ要求制御へ移行し、さらにその他の基地局からの各パイロットチャネルの受信強度（Ｅｃ／Ｉｏ）otherが基地局から指定された別の値th2より上回る場合にもステップ３ｇからハンドオフ要求制御に移行する。なお、その他の場合にはハンドオフ要求制御を行わない。
【００４２】
さて、ハンドオフ要求制御に移行すると移動通信端末装置ＭＳは、この制御を次のように実行する。図４はその制御手順及び制御内容を示すフローチャート、図５はその中のハンドオフ要求メッセージ（ＰＳＭＭ）の内容更新処理手順とその内容を示すフローチャートである。また、図６は移動通信端末装置（移動局）ＭＳと基地局ＢＳとの間のメッセージ伝送シーケンスを示している。
【００４３】
すなわち、移動通信端末装置ＭＳは、先ずステップ４ａで使用可能なシーケンス番号（SEQNo）があるか否かを判定する。ここで、使用可能なシーケンス番号とは、別のメッセージを送信するために用意した所定数（例えば１個）のシーケンス番号を除いた空きのシーケンス番号のことである。上記判定の結果、使用可能なシーケンス番号がなければ、ハンドオフ要求メッセージの送信待機制御に移行する。
【００４４】
これに対し使用可能なシーケンス番号があれば、ステップ４ｂでこの使用可能なシーケンス番号を一つ、例えば（SEQ1）を選択する。そして、ステップ４ｃでハンドオフを要求するためのメッセージとして、パイロット強度測定メッセージを作成する。このメッセージには、前記ハンドオフ判定制御において得た、同期確立中のパイロットチャネルＰＮａ２の受信強度の測定値と、近接基地局及びその他の基地局からの全パイロットチャネルの受信強度測定値がそれぞれ挿入される。そして、この作成したハンドオフ要求メッセージ（図６ではメッセージＡと呼称）を、先に選択したシーケンス番号（SEQ1）を用いて同期確立中の基地局ＢＳａに向け送信する。なお、図６中（SEQ1(1)）の(1)は１回目の送信であることを示している。
【００４５】
上記メッセージＡ（SEQ1(1)）を送信すると、移動通信端末装置ＭＳはタイマを起動し、ステップ４ｆでこのタイマのタイムアウト（４００msec）を監視しながら、ステップ４ｄで基地局ＢＳａからの受信確認の応答メッセージ（ＡＣＫ）の返送を監視する。そして、上記タイマがタイムアウトする前に基地局ＢＳａから受信確認の応答メッセージが返送された場合には、ステップ４ｅでシーケンス番号（SEQ1）を開放した後ハンドオフ処理に移行する。
【００４６】
なお、このハンドオフ処理では、先ず基地局ＢＳａからのハンドオフ・ディレクションメッセージ（ＨＯＭ）の到来を待つ。そして、このハンドオフ・ディレクションメッセージが受信されると、ハンドオフ・コンプリーションメッセージ（ＨＣＭ）を返送し、以後上記ハンドオフ・ディレクションメッセージにより指示されたハンドオフ先のパイロットチャネルに同期を確立する処理が行われる。
【００４７】
ところで、例えば移動通信端末装置ＭＳの移動の影響やマルチパスの影響により基地局ＢＳａとの間の無線伝送路の状態が劣化し、これによりメッセージＡ（SEQ1(1)）が基地局ＢＳａに届かなかったか、或いは基地局ＢＳａからの受信確認の応答メッセージが受信できなかったとする。
【００４８】
そうすると移動通信端末装置ＭＳは、ステップ４ｆでタイマのタイムアウトを確認するとステップ４ｇに移行し、ここでメッセージＡ（SEQ1）の再送信が可能か否かを判定する。例えば、パイロット強度測定メッセージの送信が予め定められた回数、例えば９回以下の場合には、再送信が可能と判定する。そして、可能であればステップ４ｈにおいて上記シーケンス番号（SEQ1）の送信回数を計数するカウンタの値を（SEQ1(2)）にインクリメントしたのち、ステップ４ｉに移行してここで上記メッセージＡ（SEQ1(1)）と同一内容のメッセージＡ（SEQ1(2)）を生成して、このメッセージＡ（SEQ1(2)）を同期確立中の基地局ＢＳａに向け送信する。
【００４９】
以後、移動通信端末装置ＭＳはメッセージＡをシーケンス番号（SEQ1）を用いて再送信するごとに、基地局ＢＳａからの受信確認の応答メッセージの返送をステップ４ｄで監視し、タイマがタイムアウトするまでの期間（４００msec）内に受信確認の応答メッセージが受信できなければ、上記したようにステップ４ｄ〜４ｈによる再送制御を繰り返す。この再送制御の繰り返しは、予め設定された回数、例えば９回繰り返された時点で終了する。なお、この再生手順を終了する際にはステップ４ｐでシーケンス番号（SEQ1）を開放する。
【００５０】
ところで、本実施形態の移動通信端末装置ＭＳは、メッセージＡの送信或いは再送後における受信確認応答メッセージの到来監視期間中において、ステップ４ｊによりメッセージの内容更新処理を行っている。
【００５１】
すなわち、移動通信端末装置ＭＳは図５に示すステップ５ａにおいて、ハンドオフ判定制御により新たなハンドオフ要求メッセージＡ′が発生したか否かを監視する。そして、この状態で新たなハンドオフ要求メッセージＡ′が発生すると、ステップ５ｂにおいて受信確認応答待ちのハンドオフ要求メッセージの中に、上記新たなハンドオフ要求メッセージＡ′と同種のメッセージＡがあるか否かを判定する。この判定の結果、同種のメッセージＡがあったとすると、ステップ５ｃに移行してここでこの受信確認応答待ちのハンドオフ要求メッセージＡの内容を上記新たに発生したハンドオフ要求メッセージＡ′の内容に更新する。
【００５２】
したがって、上記受信確認応答待ちの状態がタイムアウトし、そのハンドオフ要求メッセージＡ（SEQ1(2)）の再送を行う際には、図６に示すように内容が更新されたハンドオフ要求メッセージＡ′（SEQ1(3)）が再送信されることになる。
【００５３】
以上述べたように第１の実施形態では、メッセージＡの送信或いは再送後における受信確認応答メッセージの到来監視期間中において、ハンドオフ判定制御により新たなハンドオフ要求メッセージが発生したか否かを監視し、新たなハンドオフ要求メッセージＡ′が発生すると、受信確認応答待ちのハンドオフ要求メッセージの中に、上記新たなハンドオフ要求メッセージＡ′と同種のメッセージがあるか否かを判定し、同種のメッセージがあったとすると、この受信確認応答待ちのハンドオフ要求メッセージＡの内容を上記新たに発生したハンドオフ要求メッセージＡ′の内容に更新するようにしている。
【００５４】
したがって、受信確認応答待ちの期間に新たなハンドオフ要求が発生するごとに、上記受信確認応答待ちのハンドオフ要求メッセージＡの内容が上記新たに発生したハンドオフ要求メッセージＡ′の内容に更新される。このため、規格上で定められたメッセージ再送手順を遵守した上で、基地局には最新の内容のハンドオフメッセージを通知することができ、この結果高速移動中のハンドオフ成功率を高めることができる。
【００５５】
（第２の実施形態）
この発明に係わる第２の実施形態は、ハンドオフ要求メッセージの再送手順において、使用可能な他のシーケンス番号を複数個選択し、上記メッセージと同一内容のメッセージをこれらのシーケンス番号を使用して再送インターバルより短い時間間隔で追加送信するようにした場合に、この追加送信を含む各メッセージの再送手順中に、ハンドオフ判定制御において当該メッセージと同種の新しい内容のハンドオフ要求メッセージが発生した場合に、以後再送及び追加送信する上記メッセージの内容を上記新たなメッセージの内容に更新するようにしたものである。
【００５６】
図７及び図８は、この第２の実施形態に係わる移動通信端末装置ＭＳのハンドオフ要求制御手順とその内容を示すフローチャート、図９は移動通信端末装置（移動局）ＭＳと基地局ＢＳとの間で行われるメッセージ伝送手順を示すシーケンス図である。なお、図７において前記図４と同一部分には同一符号を付して詳しい説明は省略する。
【００５７】
本実施形態の移動通信端末装置ＭＳは、上記したハンドオフ要求メッセージの再送手順を開始すると、同一内容のハンドオフ要求メッセージを追加送信するための制御を実行する。
【００５８】
すなわち、移動通信端末装置ＭＳはステップ４ｉにおいてメッセージＡ（SEQ1(2)）を再送すると、図８に示すステップ７ｂに移行し、ここで使用可能なシーケンス番号の有無を先ず判定する。この判定の結果、使用可能なシーケンス番号が他のメッセージの送信用として用意されているもの（例えば１個）以外に残っていなければ、追加送信は不可能であると判断して、そのまま前記ステップ４ｄ〜ステップ４ｉによるシーケンス番号（SEQ1）を用いたメッセージＡの再送制御に戻る。
【００５９】
一方、使用可能なシーケンス番号が残っていた場合には、ステップ７ｃでこの使用可能なシーケンス番号、例えばSEQ2及びSEQ3を選択し、ステップ７ｄに移行する。そして、このステップ７ｄにおいて、前記メッセージＡと同一内容のメッセージＡを、上記選択したシーケンス番号（SEQ2）及び（SEQ3）を用いて基地局ＢＳａに向け送信する。なお、このとき上記メッセージＡ（SEQ2(1)）及びメッセージＡ（SEQ3(1)）の各送信タイミングはそれぞれ、例えば上記メッセージＡ（SEQ1(2)）の送信時点から１００msec後および２００msec後になるように設定する。すなわち、別シーケンス番号を使用したメッセージＡの追加送信タイミングは、再送間隔（４００msec）より短い１００msec間隔となるように設定する。
【００６０】
以後同様に移動通信端末装置ＭＳは、メッセージＡ（SEQ1(3)）を再送すると、それに続いて別のシーケンス番号（SEQ2），（SEQ3）を用いた同一内容のメッセージＡ（SEQ2(2)），メッセージＡ（SEQ3(2)）を順次１００msec間隔で追加送信し、またメッセージＡ（SEQ1(4)）を再送すると、それに続いて別のシーケンス番号（SEQ2），（SEQ3）を用いた同一内容の及びメッセージＡ（SEQ2(3)），メッセージＡ（SEQ3(3)）を順次１００msec間隔で追加送信する。図９にその様子を示す。
【００６１】
また移動通信端末装置ＭＳは、シーケンス番号（SEQ1）を使用した本来のメッセージＡは勿論のこと、別のシーケンス番号（SEQ2），（SEQ3）を用いて追加送信した同一内容の各メッセージＡについても、ステップ７ａにおいてその内容更新処理を実行する。
【００６２】
すなわち、移動通信端末装置ＭＳは図５に示したように、ステップ５ａにおいて、ハンドオフ判定制御により新たなハンドオフ要求メッセージが発生したか否かを監視する。そして、この状態で新たなハンドオフ要求メッセージが発生すると、ステップ５ｂにおいて受信確認応答待ちのハンドオフ要求メッセージの中に、上記新たなハンドオフ要求メッセージと同種のメッセージがあるか否かを判定する。そして、いま例えばシーケンス番号（SEQ1）を使用した本来のメッセージＡ及び別のシーケンス番号（SEQ2），（SEQ3）を用いて追加送信した各メッセージＡが、上記新たに発生したハンドオフ要求メッセージＡ′と同種のメッセージだったとすれば、ステップ５ｃに移行してここでこれらの受信確認応答待ちの各ハンドオフ要求メッセージＡの内容を、上記新たに発生したハンドオフ要求メッセージＡ′の内容にそれぞれ更新する。
【００６３】
したがって、上記各ハンドオフ要求メッセージＡの受信確認応答待ちの状態がタイムアウトして次に再送される際には、図９に示すように内容が更新されたハンドオフ要求メッセージＡ′（SEQ1(3)），メッセージＡ′（SEQ2(2)），メッセージＡ′（SEQ3(2)）がそれぞれ再送されることになる。
【００６４】
したがって第２の実施形態によれば、シーケンス番号（SEQ1）を使用した本来のメッセージＡは勿論のこと、別のシーケンス番号（SEQ2），（SEQ3）を用いて追加送信した同一内容の各メッセージＡについても、その再送手順中にハンドオフ判定制御において当該メッセージＡと同種でかつ内容の新しいハンドオフ要求メッセージＡ′が発生すれば、そのメッセージＡの内容が上記新たに発生したメッセージＡ′の内容Ａ′に更新される。このため、本来のメッセージは勿論のこと追加送信したメッセージについても、最新の内容つまり受信レベル測定結果を基地局に通知することができ、これによりいち早くかつ最適なハンドオフ制御を実行することが可能となる。
【００６５】
（第３の実施形態）
この発明に係わる第３の実施形態は、受信確認応答待ちのメッセージの数が予め設定した上限数に達している状態で、新たなメッセージが生成された場合にこのメッセージを送信待機状態に設定するようにしている移動通信端末装置において、この送信待機状態に設定されているメッセージが存在する状態でさらに新たなメッセージが発生した場合に、この新たなメッセージが上記送信待機中のメッセージと同種類のものでかつ異なる内容のものだった場合に、上記送信待機中のメッセージの内容を上記新たに発生したメッセージの内容に更新するようにしたものである。
【００６６】
図１０は、この第３の実施形態に係わる移動通信端末装置ＭＳの送信待機制御手順とその内容を示すフローチャート、図１１は移動通信端末装置（移動局）ＭＳと基地局ＢＳとの間のメッセージ伝送シーケンスを示している。
【００６７】
移動通信端末装置ＭＳは、通信中において、第１及び第２の実施形態で述べたようにハンドオフ要求メッセージを送信又は再送するとその受信確認応答待ちの状態になる。この状態で新たなメッセージが発生すると、先ずステップ１０ａで空きのシーケンス番号があるか否かを判定する。この判定の結果、空きのシーケンス番号がなければ、ステップ１０ｆにおいて空きのシーケンス番号を一つ選択して上記新たなメッセージを基地局へ送信する。
【００６８】
一方、空きのシーケンス番号がなかった場合には、ステップ１０ｂに移行してここで先ず上記新たなメッセージが特定の種類のメッセージであるか否かを判定する。この判定の結果、特定の種類のメッセージでなければ、ステップ１０ｇにおいて上記新たなメッセージを送信順番待ちに加える。これに対し特定の種類のメッセージだった場合には、ステップ１０ｃに移行してここで送信順番待ちのメッセージの中に同じ種類のメッセージがあるか否かを判定する。そして、同じ種類のメッセージがなければ、上記ステップ１０ｇにより当該新たなメッセージをそのまま送信順番待ちに加える。
【００６９】
さて、送信順番待ちのメッセージの中に上記新たなメッセージと同じ種類のメッセージが存在したとする。そうすると移動通信端末装置ＭＳは、ステップ１０ｄで送信順番待ちのメッセージの内容を上記新たなメッセージの内容に更新する。そして、最後にステップ１０ｅで上記新たなメッセージを破棄する。
【００７０】
例えば図１１に示すように、メッセージＡ〜Ｄが受信確認待ちの状態に設定されている状態で、特定種類のメッセージの一つであるハンドオフ要求メッセージＥが新たに発生したとする。いま仮に特定種類のメッセージの送信に使用可能なシーケンス番号の数が４個であるとすると、シーケンス番号に空きがないため、移動通信端末装置ＭＳは上記新たなメッセージＥを送信順番待ちの状態に設定する。
【００７１】
そしてこの状態で、上記送信順番待ちのメッセージＥと同じ種類のメッセージ、つまりハンドオフ要求メッセージＦが新たに発生したとする。そうすると移動通信端末装置ＭＳは、上記送信順番待ちのメッセージＥの内容を、上記新たなメッセージＦの内容に変更する。すなわち、メッセージＥに挿入されている受信レベル測定値を、メッセージＦに挿入されている最新の受信レベル測定値に更新する。そして、このメッセージ内容の変更を終了すると、上記新たなメッセージＦを破棄する。したがって、このメッセージ内容の変更後において、送信順番待ちには内容が最新の受信レベル測定値に変更されたメッセージＥ′が設定されることになる。
【００７２】
この送信順番待ちのメッセージＥ′は、受信確認応答待ちのメッセージＡ〜Ｄのいずれかが受信確認されてそのシーケンス番号が開放されると、当該シーケンス番号を使用して基地局に向け送信される。したがって、基地局にはメッセージＥ′により最新の受信レベル測定値が通知されることになる。
【００７３】
以上のように第３の実施形態では、例えばハンドオフ要求メッセージが送信順番待ちに設定されている状態で、新たなハンドオフ要求メッセージが発生した場合に、この新たなハンドオフ要求メッセージをそのまま送信順番待ちに加えるのではなく、先に送信順番待ちに設定されているハンドオフ要求メッセージの内容Ｅを上記新たなハンドオフ要求メッセージの内容Ｆに更新し、この新たなハンドオフ要求メッセージは破棄するようにしている。
【００７４】
したがって、無線環境が劣化してメッセージが頻発する状況下において、基地局へは最新の受信レベル測定値を通知することが可能となり、これにより基地局へはより新しい受信レベル測定値の情報を通知して、正確なハンドオフ処理を実行することが可能となる。
【００７５】
また本実施形態では、送信順番待ちのメッセージの内容Ｅを新たなメッセージの内容Ｆに更新すると、この新たなメッセージＦを破棄して送信順番待ちには加えないようにしている。このようにすることで、送信順番待ちのメッセージの数を減らすことができ、これにより基地局に対する送信順番待ちのメッセージの送信タイミングを早期化することができる。
【００７６】
（その他の実施形態）
前記各実施形態では、ＣＤＭＡ移動通信システムを例にとって説明したが、移動通信端末装置がハンドオフ要求を送信する機能を持つシステムであれば、ＰＤＣやＰＨＳ等のＴＤＭＡ方式を採用したシステムにも同様に適用可能である。
【００７７】
さらに、前記各実施形態ではハンドオフ要求メッセージを送信する場合を例にとって説明したが、受信確認の応答を必要とするメッセージであればその他の種類のメッセージを送信する場合にもこの発明を適用することが可能である。
【００７８】
また、マイクロ・プロセッサの代わりにゲートアレイ等の集積回路により、発信及び着信に伴う通信リンク接続制御や通信制御やハンドオフ制御機能を実現してもよい。
【００７９】
その他、移動通信端末装置の種類やその回路構成、ハンドオフ判定制御、ハンドオフ要求制御とその更新更新処理及び送信待機制御の手順と内容、さらにはメッセージ追加送信制御の手順と内容等についても、この発明の要旨を逸脱しない範囲で種々変形して実施できる。
【００８０】
【発明の効果】
以上詳述したように第１の発明では、メッセージ更新手段において、受信確認の応答監視期間中に新たな第２の要求メッセージが生成された場合に、上記受信確認の応答監視中の第１の要求メッセージの内容を上記新たな第２の要求メッセージの内容に更新するようにしている。
【００８１】
また第２の発明では、メッセージ更新手段において、送信待機状態に設定されている第２の要求メッセージが存在する状態で、さらに新たな第３の要求メッセージが生成された場合に、上記第２の要求メッセージの内容を上記第３の要求メッセージの内容に更新するようにしている。
【００８２】
したがってこれらの発明によれば、メッセージが頻発している状況下において、最新のメッセージ内容を通信相手に通知することができ、これによりハンドオフ処理等の移動通信装置と基地局との間で行われる制御の信頼性向上を図った移動通信端末装置とその制御回路、ハンドオフ制御方法及びハンドオフ制御プログラムを提供することができる。
【図面の簡単な説明】
【図１】  この発明に係わるセルラ移動通信システムの実施形態であるＣＤＭＡ移動通信システムを示す概略構成図。
【図２】  図１に示したシステムにおいて使用されるＣＤＭＡ移動通信端末装置の構成を示す回路ブロック図。
【図３】  図２に示した移動通信端末装置において実行されるハンドオフ判定制御手順とその内容を示すフローチャート。
【図４】  この発明の第１の実施形態におけるハンドオフ要求制御の前半部分の手順とその内容を示すフローチャート。
【図５】  この発明の第１の実施形態におけるハンドオフ要求メッセージの内容更新処理の手順とその内容を示すフローチャート。
【図６】  この発明の第１の実施形態におけるメッセージ伝送手順を示すシーケンス図。
【図７】  この発明の第２の実施形態におけるハンドオフ要求制御の前半部の手順とその内容を示すフローチャート。
【図８】  この発明の第２の実施形態におけるハンドオフ要求制御の後半部の手順とその内容を示すフローチャート。
【図９】  この発明の第２の実施形態におけるメッセージ伝送手順を示すシーケンス図。
【図１０】  この発明の第３の実施形態における送信待機制御手順とその内容を示すフローチャート。
【図１１】  この発明の第３の実施形態における送信待機制御手順とその内容を示すフローチャート。
【図１２】  従来のハンドオフ要求メッセージの伝送手順を示すシーケンス図。
【符号の説明】
ＢＳａ，ＢＳｂ，ＢＳｃ…基地局
Ｓａ１〜Ｓｃ３…セクタ
ＭＳ…移動端末装置
ＰＮａ１〜ＰＮｃ３…パイロットチャネル
１１ａ，２２…アナログ−ディジタル変換器（Ａ−Ｄ）
１１ｂ，１９…ディジタル−アナログ変換器（Ｄ−Ａ）
１２…音声符号化−復号化器（ボコーダ）
１３…マイクロ・プロセッサ（ＭＰＵ）
１３１…ハンドオフ要求送信制御機能
１３２…メッセージ内容更新制御機能
１４…データ生成回路
１５…畳み込み符号化器
１６…インタリーブ回路
１７…スペクトラム拡散器
１８…ディジタル・フィルタ
２０…アナログ・フロントエンド
２１…アンテナ
２３…サーチ受信機
２４…自動利得制御（ＡＧＣ）回路
２５…ＲＡＫＥ受信機
２６…デインタリーブ回路
２７…ビタビ復号化器
２８…誤り訂正回路
２９…キーパッド／ディスプレイ
【図１】
0003836667.tif 000002
【図２】
0003836667.tif 000003
【図３】
0003836667.tif 000004
【図４】
0003836667.tif 000005
【図５】
0003836667.tif 000006
【図６】
0003836667.tif 000007
【図７】
0003836667.tif 000008
【図８】
0003836667.tif 000009
【図９】
0003836667.tif 000010
【図１０】
0003836667.tif 000011
【図１１】
0003836667.tif 000012
【図１２】
0003836667.tif 000013